(57)【要約】      （修正有）【課題】相手方から着信があるときに、着信に応じて受話するための受話操作を容易にすることができるヘッドアップディスプレイ装置及びヘルメットを提供する。【解決手段】ヘルメット１０１に搭載されるＨＵＤ装置において、コンバイナ８９越しに表示像を表示する表示モジュールと、音声情報を入出力する入出力機器５１を用いて音声通話を提供する通話モジュール６１と、表示に関する操作および音声通話に関する操作を受け付ける複数のスイッチ７１Ａ〜７１Ｄを含む操作ユニット５３と、スイッチの操作に応じて表示機能または通話機能を制御する制御モジュールとを備える。制御モジュールは、情報端末に着信があるときに、通話モジュールを介して受信した着信信号に基づいてユーザに当該着信を報知すると共に、複数のスイッチのそれぞれに受話機能を割り当てる。【選択図】図４
2020102688.tif 000002
【特許請求の範囲】
【請求項１】
ヘルメットに搭載されるヘッドアップディスプレイ装置であって、
前記ヘルメットを着用したユーザに対し、光透過性と光反射性を兼ね備えた被投射体越しに表示像を表示する表示モジュールと、
前記ヘルメットを着用したユーザに対し、通話機能を有する電子機器と通信することにより、音声情報を入出力する入出力機器を用いて音声通話を提供する通話モジュールと、
前記表示モジュールによる表示に関する操作および前記通話モジュールによる音声通話に関する操作を受け付ける複数のスイッチを含む操作ユニットと、
前記スイッチの操作に応じて、前記表示モジュールによる表示機能を制御し、または前記通話モジュールによる通話機能を制御する制御モジュールと、を備え、
前記制御モジュールは、前記電子機器に着信があるときに、前記通話モジュールを介して受信した着信信号に基づいてユーザに当該着信を報知すると共に、前記複数のスイッチのうち少なくとも２つ以上の前記スイッチに対し、当該着信に応じて受話する受話機能を割り当てる
ことを特徴とするヘッドアップディスプレイ装置。
【請求項２】
請求項１に記載されたヘッドアップディスプレイ装置において、
前記制御モジュールは、前記電子機器に着信があるときに、前記複数のスイッチのそれぞれに対し、当該着信に応じて受話する受話機能を割り当てる
ことを特徴とするヘッドアップディスプレイ装置。
【請求項３】
請求項１または２に記載されたヘッドアップディスプレイ装置において、
前記複数のスイッチは、前記電子機器に着信がないときに、前記表示モジュールの表示に関する操作を受け付ける表示操作機能が割り当てられる表示操作スイッチを含み、
前記制御モジュールは、前記電子機器に着信があるときには前記表示操作スイッチに対して前記受話機能を割り当て、前記通話モジュールによる通話中には前記表示操作スイッチに対して通話を終了させる終話機能を割り当て、前記通話モジュールによる通話が終了した後に所定の時間が経過するまでは前記表示操作スイッチに対して前記表示操作機能を割り当てない
ことを特徴とするヘッドアップディスプレイ装置。
【請求項４】
請求項１または２に記載されたヘッドアップディスプレイ装置において、
前記表示モジュールによって所定の情報を表す表示像について表示を行う表示モードと表示を行わない非表示モードとが切り替え可能とされ、
前記複数のスイッチは、前記電子機器に着信がないときに、前記表示モジュールの表示に関する操作を受け付ける表示操作機能が割り当てられる表示操作スイッチを含み、
前記制御モジュールは、前記非表示モードであるときにおいて、前記表示操作スイッチの操作により、前記表示モジュールによって前記所定の情報を表す表示像を所定の時間に亘って一時的に表示させる
ことを特徴とするヘッドアップディスプレイ装置。
【請求項５】
ヘッドアップディスプレイ装置が搭載されたヘルメットであって、
前記ヘッドアップディスプレイ装置は、
前記ヘルメットを着用したユーザに対し、光透過性と光反射性を兼ね備えた被投射体越しに表示像を表示する表示モジュールと、
前記ヘルメットを着用したユーザに対し、通話機能を有する電子機器と通信することにより、音声情報を入出力する入出力機器を用いて音声通話を提供する通話モジュールと、
前記表示モジュールによる表示に関する操作および前記通話モジュールによる音声通話に関する操作を受け付ける複数のスイッチを含む操作ユニットと、
前記スイッチの操作に応じて、前記表示モジュールによる表示機能を制御し、または前記通話モジュールによる通話機能を制御する制御モジュールと、を備え、
前記制御モジュールは、前記電子機器に着信があるときに、前記通話モジュールを介して受信した着信信号に基づいてユーザに当該着信を報知すると共に、前記複数のスイッチのうち少なくとも２つ以上の前記スイッチに対し、当該着信に応じて受話する受話機能を割り当てる
ことを特徴とするヘルメット。
【発明の詳細な説明】
【技術分野】
【０００１】
本開示は、ヘルメットに搭載されるヘッドアップディスプレイ装置およびヘッドアップディスプレイ装置が搭載されたヘルメットに関する。
【背景技術】
【０００２】
従来から、自動二輪車を運転する際に着用されるヘルメットにヘッドアップディスプレイ（Head Up Display）装置（以下「ＨＵＤ装置」と称する）を搭載することにより、当該ヘルメットを着用したユーザ（運転者）に対し、車速などの車両情報、ナビゲーションシステムによる地図情報、警告情報といった各種情報を虚像として視界前方に視認させるようにして、車両運転時の利便性や安全性を高めることが知られている。
【０００３】
ヘルメットに搭載されるＨＵＤ装置は、表示する情報に応じた表示光を投射する投射モジュールと、投射モジュールによって投射された表示光をヘルメットの着用者であるユーザの眼に向けて反射するコンバイナとを備える。コンバイナは、ハーフミラーからなり、ヘルメットの前部に設けられた窓開口内でユーザの前方視界に入る位置に配置され、ユーザの前方からの光を透過させる。したがって、ユーザは、コンバイナ越しに風景と重畳した状態で表示光による虚像（表示像）を視認できる。このようなＨＵＤ装置の一例は、特許文献１に開示されている。
【０００４】
また、音声情報の入出力を行うマイクロフォンおよびスピーカなどからなる入出力機器（ヘッドセット）をヘルメットに搭載し、ブルートゥース（Bluetooth：登録商標）などの近距離無線通信規格での通信機能を有する通信部を介して携帯電話機と通信することにより、車両運転中において携帯電話機に着信があった場合にもハンズフリーで通話できるようにして、ユーザの利便性を高めることが知られている。このような通話機能を持たせたヘルメットの一例は、特許文献２に開示されている。
【先行技術文献】
【特許文献】
【０００５】
【特許文献１】特開２０１７−０３０５３０号公報
【特許文献２】特開２００４−１０４６８４号公報
【発明の概要】
【発明が解決しようとする課題】
【０００６】
上述したようなヘルメットに搭載されるＨＵＤ装置に通話機能を持たせる場合、ＨＵＤ装置の表示に関する操作と音声通話に関する操作とを受け付ける複数のスイッチを纏めて操作ユニットとしてヘルメットの外面に設けることが考えられる。操作ユニットが具備するスイッチとしては、例えば、ＨＵＤ装置の電源のオンとオフを切り替えるスイッチ、ＨＵＤ装置の表示のオンとオフを切り替えるスイッチ、受話および終話を行うスイッチ、通話時などの音量をアップさせるスイッチ、音量をダウンさせるスイッチが挙げられる。
【０００７】
しかし、このような操作ユニットでは、小型化の点から個々のスイッチを比較的小さくせざるを得ず、スイッチがヘルメットの外面に設けられていることでユーザがスイッチの位置を視認できない。このため、ユーザは目的のスイッチを手探りで探すことになり、所望のスイッチ操作を行うまでに時間がかかり、意図しないスイッチを誤って操作するおそれがある。特に、相手方から着信があるときには、ユーザが受話のためのスイッチ操作を急ぐ余り、スイッチを誤操作しやすく、携帯電話機の着信に応じて受話できないことがあり得る。況してや、運転者が手袋（グローブ）を着用していると、受話機能を持たせたスイッチを探すのがよりいっそう困難となり、他の機能を持たせたスイッチを誤操作する可能性が高くなる。
【０００８】
本開示の技術は、斯かる点に鑑みてなされたものであり、その目的とするところは、ヘルメットに搭載される通話機能を持たせたＨＵＤ装置において、相手方から着信があるときに、当該着信に応じて受話するための受話操作を容易にすることにある。
【課題を解決するための手段】
【０００９】
上記の目的を達成するために、本開示の技術では、相手方から着信があるときに、操作ユニットに含まれる複数のスイッチのうち２つ以上のスイッチに受話する機能を割り当てるようにした。
【００１０】
具体的には、本開示の技術は、ヘルメットに搭載されるＨＵＤ装置を対象とする。
【００１１】
本開示の技術に係るＨＵＤ装置は、ヘルメットを着用したユーザに対し、光透過性と光反射性を兼ね備えた被投射体越しに表示像を表示する表示モジュールと、ヘルメットを着用したユーザに対し、通話機能を有する電子機器と通信することにより、音声情報を入出力する入出力機器を用いて音声通話を提供する通話モジュールと、表示モジュールによる表示に関する操作および通話モジュールによる音声通話に関する操作を受け付ける複数のスイッチを含む操作ユニットと、スイッチの操作に応じて、表示モジュールによる表示機能を制御し、または通話モジュールによる通話機能を制御する制御モジュールとを備える。そして、制御モジュールは、電子機器に着信があるときに、通話モジュールを介して受信した着信信号に基づいてユーザに当該着信を報知すると共に、複数のスイッチのうち少なくとも２つ以上のスイッチに対し、当該着信に応じて受話する受話機能を割り当てる。
【００１２】
この構成によると、電子機器に着信があるときに、操作ユニットに含まれる複数のスイッチのうち２つ以上のスイッチに受話機能を割り当てるようにしたので、受話機能を割り当てた２つ以上のスイッチのうちいずれかを操作すれば、当該着信に応じて受話することができる。それによって、他の機能を持たせたスイッチを誤操作する可能性が低くなり、電子機器の着信に応じて受話できない事態に陥り難くすることができる。したがって、ヘルメットに搭載される通話機能を持たせたＨＵＤ装置において、相手方から着信があるときに、当該着信に応じて受話するための受話操作を容易にすることができる。
【００１３】
上記ＨＵＤ装置において、制御モジュールは、電子機器に着信があるときに、複数のスイッチのそれぞれに対し、当該着信に応じて受話する受話機能を割り当てることが好ましい。
【００１４】
この構成によると、電子機器に着信があるときに、複数のスイッチのうちいずれかのスイッチを操作すれば、当該着信に応じて受話することができるので、他の機能を持たせたスイッチを誤操作するおそれがなくなり、着信に応じて受話できない事態に陥るのを回避することができる。
【００１５】
また、複数のスイッチは、電子機器に着信がないときに、表示モジュールの表示に関する操作を受け付ける表示操作機能が割り当てられる表示操作スイッチを含んでいてもよい。そして、制御モジュールは、電子機器に着信があるときに、表示操作スイッチに対して受話機能を割り当ててもよい。この場合、制御モジュールは、通話モジュールによる通話中には表示操作スイッチに対して通話を終了させる終話機能を割り当て、通話モジュールによる通話が終了した後に所定の時間が経過するまでは表示操作スイッチに対して表示操作機能を割り当てないことが好ましい。
【００１６】
通話モジュールによる通話が終了した直後に表示操作スイッチに対して表示操作機能を割り当てる場合、ヘルメットを着用したユーザが通話を終了させるべく、終話機能が割り当てられた表示操作スイッチを操作しようとしたとき、その操作前に通話相手が先だって終話操作を行うと、ユーザが表示操作スイッチを操作するときには表示操作スイッチに表示操作機能が割り当てられているため、表示に関する操作が意図せず行われる。このような終話操作に伴うＨＵＤ装置の意図しない動作に起因して、ユーザに不安感を与えてしまう懸念がある。
【００１７】
これに対し、上記の構成によると、通話モジュールによる通話が終了した後に所定の時間が経過するまでは表示操作スイッチに対して表示操作機能を割り当てないようにしたので、ユーザが通話を終了させようとして通話相手が終話操作を行った後に表示操作スイッチを操作してしまっても、表示に関する操作が意図せず行われるのを防止することができる。それにより、終話操作に伴うＨＵＤ装置の意図しない動作を防止して、ユーザに不安感を与えないようにすることができる。
【００１８】
また、ＨＵＤ装置は、表示モジュールによって所定の情報を表す表示像について表示を行う表示モードと表示を行わない非表示モードとが切り替え可能とされていてもよい。
【００１９】
この構成によると、所定の情報を表す表示像について表示を行う表示モードと表示を行わない非表示モードとを切り替えられるようにしたので、当該表示像の表示が必要ないときには非表示モードとすることにより、ＨＵＤ装置を動作させるための電力の消費を抑えることができる。
【００２０】
この場合、制御モジュールは、非表示モードであるときにおいて、複数のスイッチのうち電子機器に着信がないときに表示モジュールの表示に関する操作が割り当てられる表示操作スイッチの操作により、表示モジュールによって所定の情報を表す表示像を所定の時間に亘って一時的に表示させることが好ましい。
【００２１】
ＨＵＤ装置に上記のような表示モードの切り替え機能を持たせても、表示像の表示が必要ないときに非表示モードに切り替え忘れることがあり得る。また、表示像で表される所定の情報が、車両運転中は常時見ておく必要のない情報であったり、ユーザがチェックしたいときだけに見られればよいものであったりする場合、当該所定の情報を見る都度、表示モードと非表示モードの切り替え操作を行うのが煩わしいことから、表示像の表示が必要なくても、表示モードのままＨＵＤ装置を使用し続けることがあり得る。
【００２２】
これに対し、上記の構成によると、ＨＵＤ装置が非表示モードであるときにおいても、表示操作スイッチの操作を行うことで、表示モジュールによって所定の情報を表す表示像を一時的に表示させるようにしたので、表示モードと非表示モードの切り替え操作を省いて、必要なときに表示像を一時的に表示させることができる。このようにすれば、表示像の表示を消し忘れることもない。そうした表示操作スイッチの操作による表示像の一時的な表示を活用することにより、ＨＵＤ装置を作動させるための電力の消費を抑えることができる。
【００２３】
また、本開示の技術は、ＨＵＤ装置が搭載されたヘルメットを対象とする。
【００２４】
本開示の技術に係るヘルメットでは、ＨＵＤ装置は、ヘルメットを着用したユーザに対し、光透過性と光反射性を兼ね備えた被投射体越しに表示像を表示する表示モジュールと、ヘルメットを着用したユーザに対し、通話機能を有する電子機器と通信することにより、音声情報を入出力する入出力機器を用いて音声通話を提供する通話モジュールと、表示モジュールによる表示に関する操作および通話モジュールによる音声通話に関する操作を受け付ける複数のスイッチを含む操作ユニットと、スイッチの操作に応じて、表示モジュールによる表示機能を制御し、または通話モジュールによる通話機能を制御する制御モジュールとを備える。そして、制御モジュールは、電子機器に着信があるときに、通話モジュールを介して受信した着信信号に基づいてユーザに当該着信を報知すると共に、複数のスイッチのうち少なくとも２つ以上のスイッチに対し、当該着信に応じて受話する受話機能を割り当てる。
【００２５】
この構成によると、電子機器に着信があるときに、操作ユニットに含まれる複数のスイッチのうち２つ以上のスイッチに受話機能を割り当てるようにしたので、受話機能を割り当てた２つ以上のスイッチのうちいずれかを操作すれば、当該着信に応じて受話することができる。それによって、他の機能を持たせたスイッチを誤操作する可能性が低くなり、電子機器の着信に応じて受話できない事態に陥り難くすることができる。したがって、ヘルメットに搭載された通話機能を有するＨＵＤ装置において、相手方から着信があるときに、当該着信に応じて受話するための受話操作を容易にすることができる。
【発明の効果】
【００２６】
本開示の技術に係るＨＵＤ装置およびそれを搭載したヘルメットによれば、相手方から着信があるときに、当該着信に応じて受話するための受話操作を容易にすることができる。これにより、通話機能を持たせたＨＵＤ装置のユーザビリティを向上させることができる。
【図面の簡単な説明】
【００２７】
【図１】図１は、実施形態に係る情報提示システムの概略的な全体構成図である。
【図２】図２は、実施形態に係る情報提示システムの概略的なブロック図である。
【図３】図３は、実施形態に係るＨＵＤ装置が搭載されたヘルメットの正面図である。
【図４】図４は、実施形態に係るＨＵＤ装置が搭載されたヘルメットの側面図である。
【図５】図５は、実施形態に係るＨＵＤ装置の通話機能による着信通話の流れを示すフロー図である。
【発明を実施するための形態】
【００２８】
以下、例示的な実施形態を図面に基づいて詳細に説明する。なお、以下の実施形態では、便宜上、ヘルメットおよびヘルメットに搭載されるＨＵＤ装置について、ヘルメットを着用したユーザの顔の上下に相当する方向における上側を「上」、下側を「下」と称し、ヘルメットを着用したユーザの顔の前後に相当する方向における前側を「前」、後側を「後」と称し、ヘルメットを着用したユーザの顔の前方を向いてその顔の左右に相当する方向における左側を「左」、右側を「右」と称する。
【００２９】
＜情報提示システムの構成＞
図１は、この実施形態に係る情報提示システム１の概略的な全体構成図である。図２は、情報提示システム１の概略的なブロック図である。なお、図１において、二点鎖線の矢印は、表示光の経路および進行方向を示している。情報提示システム１は、自動二輪車のライダー（ユーザ）に向けて運転支援に寄与する情報を提示するシステムであって、図１および図２に示すように、自動二輪車のヘルメット１０１に搭載されたＨＵＤ装置３と、ＨＵＤ装置３に対して表示され得る各種情報を提供する情報端末５とを備えている。
【００３０】
− 情報端末の構成 −
情報端末５としては、スマートフォンと呼ばれる小型の多機能携帯電話機が用いられる。この情報端末５は、通話機能を有する電子機器であって、ＧＰＳ衛星Ｓからの電波を受信して測位情報を生成するＧＰＳ（Global Positioning System）受信機７と、外部との無線通信を行う無線通信モジュール９と、音声情報を入出力する入出力機器１３と、タッチパネル付き表示装置１５と、当該情報端末５の動作を総合的に制御するマイクロコンピュータ１７と、当該情報端末５を動作させるのに必要な電力を供給する電源１９とを備えている。
【００３１】
ＧＰＳ受信機７は、図示しないＧＰＳアンテナなどを備えて構成されている。ＧＰＳアンテナは、地球軌道に打ち上げられた複数のＧＰＳ衛星Ｓから送信されるＧＰＳ信号を受信する。ＧＰＳ受信機７は、ＧＰＳアンテナで受信したＧＰＳ信号に基づいて、情報端末５の現在位置（例えば緯度、経度および高度）の情報を取得する。このＧＰＳ受信機７は、マイクロコンピュータ１７からの要求に応じて、測位した情報端末５の位置情報をマイクロコンピュータ１７に含まれるメモリ３１に保存し、逐次更新する。
【００３２】
無線通信モジュール９は、インターネットや電話網などの広域通信網である外部ネットワークＮと通信を行うネットワーク通信部２１と、ＨＵＤ装置３と近距離で無線通信を行う近距離通信部２３とを備えている。
【００３３】
ネットワーク通信部２１は、ＷｉＦｉ（Wireless Fidelity；登録商標）などの無線ＬＡＮ（Local Area Network）の機能やＬＴＥ（Long Time Evolution；登録商標）といったモバイル通信規格での通信機能を有している。このネットワーク通信部２１は、マイクロコンピュータ１７からの要求に応じて、外部ネットワークＮから地図情報や、工事や渋滞などに関する道路情報、ＧＰＳ受信機７で取得された現在位置に基づく周辺施設の情報、災害情報などのネット情報を受信して、マイクロコンピュータ１７に含まれるメモリ３１に一時的に蓄積する。
【００３４】
また、ネットワーク通信部２１は、マイクロコンピュータ１７からの要求に応じて、外部ネットワークＮの利用により、他の携帯電話機や固定電話機といった通話機能を有する外部機器との間で音声データを送受信する。
【００３５】
近距離通信部２３は、ブルートゥースなどの近距離無線通信規格での通信機能を有している。この近距離通信部２３は、マイクロコンピュータ１７からの要求に応じて、ＧＰＳ受信機７で取得された情報端末５の位置情報や、ネットワーク通信部２１で取得されたネット情報、後述する各種のアプリケーションソフトウェア（以下「アプリ」と称する）により取得されるアプリ情報、ＨＵＤ装置３によって表示する表示像についての表示項目や明るさなどの表示設定の情報を含む種々の情報をメモリ３１から読み出して、無線通信によりＨＵＤ装置３へと送信する。
【００３６】
また、近距離通信部２３は、情報端末５をＨＵＤ装置３と連携させ、ＨＵＤ装置３の通話機能を利用して通話を行う場合には、マイクロコンピュータ１７からの要求に応じて、ＨＵＤ装置３との間で音声データを送受信する。
【００３７】
入出力機器１３は、マイクロフォン２５およびスピーカ２７を有している。マイクロフォン２５は、入力された音声を電気信号に変換する。変換された電気信号は、ネットワーク通信部２１の機能により外部ネットワークＮ（電話網）へ音声データとして送信される。スピーカ２７は、情報端末５の通話機能をＨＵＤ装置３と連携させずに単独で使用しているときには、ネットワーク通信部２１の機能により外部ネットワークＮ（電話網）から受信した音声データとしての電気信号を音声に変換して出力する。
【００３８】
タッチパネル付き表示装置１５は、情報端末５の画面２９に画像を表示する表示装置と、ユーザがタッチした画面２９内の位置（触れた位置）を検出するタッチパネルとが一体化された電子装置であって、画像の出力機能とユーザ操作の入力機能とを兼ね備えている。情報端末５では、このタッチパネル付き表示装置１５へのタッチ操作により、各種アプリの実行や、後述の連携アプリ４３の実行時においてはＨＵＤ装置３での表示設定を行えるようになっている。
【００３９】
マイクロコンピュータ１７は、メモリ３１およびＣＰＵ（Central Processing Unit）３３を含んでいる。メモリ３１は、情報端末５を動作させるためのプログラムを含む様々な情報を一時的または恒久的に保存する。このメモリ３１は、典型的には、ＲＡＭ（Random Access Memory）とＲＯＭ（Read Only Memory）の組合せによって実現される。当該メモリ３１に記憶される各種のプログラムには、モバイルＯＳ（Operating System）や、モバイルＯＳ上で特定機能を実現すべく動作する複数のアプリが含まれている。
【００４０】
複数のアプリには、時刻アプリ３５、速度アプリ３７、ナビゲーションアプリ（以下「ナビアプリ」と称する）３９、通話アプリ４１および連携アプリ４３が含まれている。これら複数のアプリ３５，３７，３９，４１，４３は、情報端末５に予めインストールされてメモリ３１に保存されている。
【００４１】
時刻アプリ３５は、現在時刻を取得するソフトウェアである。この時刻アプリ３５では、例えば、基地局との通信で取得されるタイムスタンプやＧＰＳ受信機７で取得される時刻情報に基づき、さらにはＮＩＴＺ（Network Identity and Time Zone）やＮＴＰ（Network Time Protocol）といった時刻同期技術を用いて、現在時刻を取得する。
【００４２】
速度アプリ３７は、情報端末５の移動速度を検出するソフトウェアである。この速度アプリ３７では、例えば、ＧＰＳ受信機７で取得される情報端末５の位置情報に基づいて、情報端末５の移動速度を検出する。
【００４３】
ナビアプリ３９は、ユーザによって設定された目的地への経路案内を行うソフトウェアである。このナビアプリ３９では、例えば、ネットワーク通信部２１で取得された、またはメモリ３１に予め保存された地図情報と、ＧＰＳ受信機７で取得される情報端末５の位置情報とに基づいて、目的地への経路案内を行う。
【００４４】
通話アプリ４１は、情報端末５で通話を行うためのソフトウェアである。この通話アプリ４１は、ネットワーク通信部２１の機能により、所定の通信プロトコルに従い音声データをやり取りすることで、マイクロフォン２５から入力された音声データを外部ネットワークＮ（電話網）に送信し、且つ外部ネットワークＮ（電話網）から受信した音声データに基づく音声をスピーカ２７から出力する。
【００４５】
連携アプリ４３は、近距離通信部２３による無線通信を用いてＨＵＤ装置３と連携し、ＨＵＤ装置３へアプリ情報やネット情報、ＨＵＤ装置３での表示設定の情報などの各種情報を送信して、ＨＵＤ装置３での表示機能を実現するためのソフトウェアである。
【００４６】
この連携アプリ４３では、ＨＵＤ装置３の表示設定を行えるようになっている。具体的には、表示設定として、ＨＵＤ装置３で表示する項目を現在時刻、移動速度および経路案内情報（ナビゲーション情報）を含む複数の項目から設定したり、ＨＵＤ装置３によって表示される表示像の明るさを設定したりできる。
【００４７】
また、この連携アプリ４３では、ＨＵＤ装置３の表示機能に関するモードの設定も行えるようになっている。表示機能に関するモードは、所定の情報（設定した表示項目の情報）を表す表示像について表示を行う表示モードと、表示を行わない非表示モードとであり、当該連携アプリ４３で択一的に選択できる。連携アプリ４３で設定された表示設定の情報は、メモリ３１に保存される。
【００４８】
また、連携アプリ４３は、ユーザが情報端末５を手に持たなくてもＨＵＤ装置３で通話を可能とするハンズフリーの通話機能を実現するためのソフトウェアでもある。
【００４９】
この連携アプリ４３では、通話アプリ４１と連携し、ＨＵＤ装置３におけるスイッチ操作に応じて、着信に応じた受話、通話中の音量のアップおよびダウン、ならびに通話を終了させる終話といった通話に関する処理が行われる。この連携アプリ４３は、通話アプリ４１の機能を利用して、通話中においては、通話相手の外部機器からネットワーク通信部２１を介して受信した音声データを近距離通信部２３による無線通信を用いてＨＵＤ装置３に転送すると共に、ＨＵＤ装置３から近距離通信部２３を介して受信した音声データを、ネットワーク通信部２１による無線通信を用い、外部ネットワークＮ（電話網）を経由して通話相手の外部機器に送信する。
【００５０】
また、連携アプリ４３は、情報端末５の着信をＨＵＤ装置３に転送するようになっている。具体的には、情報端末５の着信があるか否かを監視し、情報端末５に着信があるときに、近距離通信部２３による無線通信を用いてＨＵＤ装置３に情報端末５に着信があることを示す着信信号を送信する。また、連携アプリ４３は、通話中において相手方の外部機器との通信状態を監視し、通話相手による終話操作により相手方の外部機器との通信が切断されたときに、近距離通信部２３による無線通信を用いてＨＵＤ装置３に終話したことを示す終話信号を送信する。
【００５１】
ＣＰＵ３３は、典型的には、ＩＣ（Integrated Circuit）やＬＳＩ（Large Scale Integration）、ＡＳＩＣ（Application Specific Integration Circuit）などによって実現される。このＣＰＵ３３は、各種データを処理するための演算を行い、無線通信モジュール９、入出力機器１３およびタッチパネル付き表示装置１５の動作と各種アプリ３５，３７，３９，４１，４３の実行とを制御する。
【００５２】
マイクロコンピュータ１７は、ＣＰＵ３３の機能により、ＧＰＳ受信機７に現在位置の情報を取得させ、ネットワーク通信部２１に外部ネットワークＮとの接続を確立させてネット情報を収集すると共に、連携アプリ４３の実行により、近距離通信部２３にＨＵＤ装置３との接続を確立させ、時刻アプリ３５、速度アプリ３７およびナビアプリ３９の実行に応じた種々の処理によって取得したアプリ情報やネット情報、表示設定の情報をＨＵＤ装置３に送信する。また、マイクロコンピュータ１７は、連携アプリ４３の実行により、情報端末５の着信をＨＵＤ装置３に転送し、ＨＵＤ装置３におけるスイッチ操作に応じて上記通話に関する処理を行う。
【００５３】
電源１９は、リチウムイオンバッテリなどの二次電池によって構成されている。当該電源１９は、無線通信モジュール９、入出力機器１３、タッチパネル付き表示装置１５およびマイクロコンピュータ１７に配線を介して電気的に接続されている。情報端末５は、図示しない電源スイッチで電源を入れる操作がされると、電源１９から無線通信モジュール９、入出力機器１３、タッチパネル付き表示装置１５およびマイクロコンピュータ１７に電力を供給して、ユーザの操作に応じた所定の動作をするようになっている。
【００５４】
− ＨＵＤ装置の構成 −
図３は、ＨＵＤ装置３が搭載されたヘルメット１０１の正面図である。図４は、ＨＵＤ装置３が搭載されたヘルメット１０１の側面図である。なお、図３において、二点鎖線の矢印は、図１と同様に表示光の経路および進行方向を示している。ＨＵＤ装置３は、ヘルメット１０１（ヘルメット本体１０５）を着用したユーザの視野に視覚情報を映し出す投射型表示装置であって、情報端末５と連携することによりハンズフリーな着信通話を実現する通話機能を備えている。
【００５５】
この実施形態に係るＨＵＤ装置３が搭載されるヘルメット１０１は、フルフェイス型のヘルメットであって、着用したユーザに視界を提供するための窓開口１０３が前部に形成されたヘルメット本体１０５と、ヘルメット本体１０５に対し取り替え可能に装着されて窓開口１０３を開閉し得る透明なシールド１０７とを備えている。
【００５６】
ヘルメット本体１０５は、図示しないが、その外殻を構成するシェル（帽体）の内側に、発泡ポリスチレンなどからなる衝撃を吸収する緩衝体としてのライナー（不図示）が設けられた構造を有している。シールド１０７は、ヘルメット本体１０５における窓開口１０３の左右両側に留め具１０９などを用いて所定の角度範囲だけ回転可能に取り付けられており、上下方向への回動動作を以て窓開口１０３を開閉するようになっている。
【００５７】
シールド１０７は、窓開口１０３を閉じた状態で、窓開口１０３を通して飛び込む塵埃などの異物や風、紫外線などをブロックする機能を有している。このシールド１０７は、留め具１０９を外して取り外せるようになっている。当該シールド１０７には、天候や昼夜などによる外部環境の明るさに合わせて、無色透明なシールド、スモークシールドなどの色付き透明なシールド、ミラーシールドなどの光透過率の異なる様々なシールドが採用され得る。
【００５８】
ＨＵＤ装置３は、図１〜図４に示すように、外部との無線通信を行う無線通信モジュール４５と、表示光を生成して投射する投射モジュール４７と、投射モジュール４７から投射された表示光による表示像を虚像としてユーザに視認させるためのコンバイナユニット４９と、音声情報を入出力する入出力機器５１と、当該ＨＵＤ装置３へのユーザによる操作を入力するための操作ユニット５３と、当該ＨＵＤ装置３での表示機能および通話機能を制御する制御モジュール５５と、当該ＨＵＤ装置３を動作させるのに必要な電力を供給する電源５７とを備えている。
【００５９】
無線通信モジュール４５、投射モジュール４７、コンバイナユニット４９および制御モジュール５５は、ヘルメット１０１を着用したユーザに対し、コンバイナユニット４９に含まれるコンバイナ８９越しに表示像を表示する表示モジュール５９を構成している。また、無線通信モジュール４５、入出力機器５１および制御モジュール５５は、ヘルメット１０１を着用したユーザに対し、入出力機器５１に含まれるマイクロフォン６５およびスピーカ６７を用いて音声通話を提供する通話モジュール６１を構成している。
【００６０】
無線通信モジュール４５は、ブルートゥースなどの近距離無線通信規格での通信機能を有している。この無線通信モジュール４５は、制御モジュール５５に含まれるマイクロコンピュータ７９からの要求に応じて、情報端末５の近距離通信部２３から送信されたネット情報やアプリ情報、表示設定の情報を受信し、マイクロコンピュータ７９に含まれるメモリ７５に保存する。この無線通信モジュール４５は、制御モジュール５５と共にＰＣＢ上に設けられ、ＰＣＢモジュール６３としてヘルメット本体１０５の顎部１１３左側に内蔵されている。
【００６１】
入出力機器５１は、マイクロフォン６５およびスピーカ６７を有している。マイクロフォン６５は、ヘルメット本体１０５の顎部１１３においてユーザの口と対向する部位またはその周辺に内蔵されている。このマイクロフォン６５では、変換した電気信号を、制御モジュール５５に含まれるマイクロコンピュータ７９からの要求に応じて、無線通信モジュール４５の機能により通信が確立された情報端末５に音声データとして送信する。スピーカ６７は、ヘルメット本体１０５の左右両側部においてユーザの耳と対向する部位またはその周辺に内蔵されている。このスピーカ６７では、制御モジュール５５に含まれるマイクロコンピュータ７９からの要求に応じて、ネットワーク通信部２１の機能により上記通話機能を有する外部機器から受信した音声データとしての電気信号を音声に変換して出力する。
【００６２】
操作ユニット５３は、ヘルメット本体１０５において顎部１１３左側でスピーカ６７の下側部位に設けられている。このように、操作ユニット５３は、ヘルメット１０１を着用したユーザが視認できない位置に配置されている。この操作ユニット５３は、平面視で概略三角形に近い六角形状に形成されたケース６９と、それぞれケース６９内に設けられた、押しボタン式（プッシュタイプ）の複数のスイッチ７１Ａ，７１Ｂ，７１Ｃ，７１Ｄ、およびこれら各スイッチ７１Ａ，７１Ｂ，７１Ｃ，７１Ｄの入力操作に応じた信号を処理する信号処理回路７３とを備えている。
【００６３】
操作ユニット５３は、例えば、ケース６９の裏面を両面テープによりヘルメット本体１０５の外面に貼り付けるなどして固定されている。複数のスイッチ７１Ａ，７１Ｂ，７１Ｃ，７１Ｄは、表示モジュール５９による表示に関する操作と、通話モジュール６１による音声通話に関する操作とを受け付けるスイッチである。この実施形態における例では、複数のスイッチ７１Ａ，７１Ｂ，７１Ｃ，７１Ｄは、多機能スイッチ７１Ａ、電源スイッチ７１Ｂ、プラススイッチ７１Ｃ、マイナススイッチ７１Ｄおよびの４つである。
【００６４】
多機能スイッチ７１Ａには、ＨＵＤ装置３によって表示される所定の情報を表す表示像について表示内容を切り替える表示切り替え機能（表示操作機能）が、メイン機能として割り当てられている。また、多機能スイッチ７１Ａには、ＨＵＤ装置３の通話機能により発信する発信機能がメイン機能として割り当てられている。これら表示切り替え機能と発信機能とは、多機能スイッチに対する操作の仕方（後述の短押し操作と長押し操作）によって使い分けられる。
【００６５】
また、電源スイッチ７１Ｂには、ＨＵＤ装置３の電源のオンとオフを切り替える機能がメイン機能として割り当てられている。この電源スイッチ７１Ｂには、ＨＵＤ装置３の表示のオンとオフを切り替える機能がサブ機能として割り当てられている。プラススイッチ７１Ｃには、通話時などにスピーカ６７から出力される音量をアップさせる機能がメイン機能として割り当てられている。マイナススイッチ７１Ｄには、通話時などにスピーカ６７から出力される音量をダウンさせる機能がメイン機能として割り当てられている。
【００６６】
信号処理回路７３は、これら多機能スイッチ７１Ａ、電源スイッチ７１Ｂ、プラススイッチ７１Ｃおよびマイナススイッチ７１Ｄの押し込みによる入力操作を検知し、入力操作に応じた操作信号を制御モジュール５５に含まれるマイクロコンピュータ７９のＣＰＵ７７に出力する。この信号処理回路７３は、多機能スイッチ７１Ａおよび電源スイッチ７１Ｂの入力操作については、所定の時間（例えば２秒〜５秒程度に設定される）よりも短い時間だけ押し込み動作がされた短押し操作と、当該所定の時間以上の時間に亘って押し込み動作がされた長押し操作とを区別して、それら両操作で異なる操作信号をＣＰＵ７７に出力するようになっている。
【００６７】
制御モジュール５５は、メモリ７５およびＣＰＵ７７を含むマイクロコンピュータ７９と、画像表示に関する処理を担当する集積回路であるＧＤＣ（Graphics Display Controller）８１とを有している。
【００６８】
メモリ７５は、ＨＵＤ装置３を動作させるためのプログラムを含む様々な情報を一時的または恒久的に保存する。このメモリ７５には、無線通信モジュール４５で受信したネット情報やアプリ情報、表示設定の情報も保存される。当該メモリ７５は、典型的には、ＲＡＭとＲＯＭの組合せによって実現される。
【００６９】
ＣＰＵ７７は、典型的には、ＩＣやＬＳＩ、ＡＳＩＣなどによって実現される。このＣＰＵ７７は、各種データを処理するための演算を行い、無線通信モジュール４５、投射モジュール４７に含まれる光出射器８３、入出力機器５１およびＧＤＣ８１の動作を制御する。
【００７０】
ＧＤＣ８１は、メモリ７５に保存されたネット情報やアプリ情報、表示設定の情報に基づき、コンバイナユニット４９に含まれるコンバイナ８９を介してユーザに視認させる表示像のデータを生成する。このＧＤＣ８１で生成される表示像のデータは、情報端末５の連携アプリ４３の表示設定で設定された項目の情報を表す画像データである。マイクロコンピュータ７９は、ＣＰＵ７７の機能により、ＧＤＣ８１に表示像のデータを生成させ、その画像信号を投射モジュール４７に含まれる光出射器８３に出力させる。
【００７１】
投射モジュール４７は、ヘルメット本体１０５の顎部１１３に内蔵されている。この投射モジュール４７は、ＧＤＣ８１から入力される画像信号に基づいて表示像に対応する表示光を生成して出射する光出射器８３と、光出射器８３から出射された表示光をコンバイナユニット４９に含まれるコンバイナ８９に向けて反射する凹面ミラー８５とを備えている。これら光出射器８３と凹面ミラー８５とは、ヘルメット１０１の顎部１１３における左右両側に分けて設けられている。
【００７２】
光出射器８３は、ヘルメット本体１０５の顎部１１３左側でＰＣＢモジュール６３の近傍位置に内蔵されている。この光出射器８３は、図示しないが、ＬＥＤ（Light Emitting Diode）などの光源およびＬＣＯＳ（Liquid Crystal On Silicon）などの反射型表示パネルからなる表示素子と、凸レンズや凹レンズなどの光学レンズ、拡散板、ＴＩＲ（Total Internal Reflection）プリズムといった複数の光学部材とを組み合わせて構成されている。当該光出射器８３は、ＨＵＤ装置３によって表示される表示像が情報端末５で設定された明るさレベルとなる光の強さで表示光を生成し、生成した表示光を凹面ミラー８５に向けて出射する。
【００７３】
凹面ミラー８５は、ヘルメット本体１０５の顎部１１３右側に内蔵されている。この凹面ミラー８５は、回転対称性を持たない自由曲面形状の反射面８７（図示では平面状）を有している。当該凹面ミラー８５は、光出射器８３から受けた表示光を、その反射面８７により、上方あるコンバイナユニット４９に含まれるコンバイナ８９に向けて反射すると共に、ユーザに視認される表示像が運転中の表示に適したサイズおよび位置となるように整形する。
【００７４】
コンバイナユニット４９は、凹面ミラー８５により反射された表示光を下方から受けてユーザが視認可能な方向に反射するコンバイナ８９と、コンバイナ８９をヘルメット１０１の着用者であるユーザの眼前に位置させるように支持する支持機構９１とを備えている。
【００７５】
コンバイナ８９は、透明または半透明な板状部品であって、回転対称性を持たない自由曲面形状の半透過反射面９３（図示では平面状）を有している。コンバイナ８９は、閉じた状態にあるシールド１０７の内側に位置するように配置される。当該コンバイナ８９は、光透過性と光反射性を兼ね備えた被投射体であって、ハーフミラーによって構成されている。ハーフミラーは、入射した光の一部を反射させて一部を透過させる性質を有している。
【００７６】
支持機構９１は、ヘルメット本体１０５の前部に設けられた窓開口１０３内でユーザの前方視界に入る位置にコンバイナ８９を支持する。コンバイナ８９は、ユーザの右眼Ｅの前方位置に配置され、支持機構９１により、半透過反射面９３をユーザの顔側に配置させ、後端が上方に位置する一方で前端が下方に位置する前傾姿勢で支持される。
【００７７】
支持機構９１は、上下方向に延びるステー９５を有している。ステー９５の上側部は、ヘルメット本体１０５の額部１１５に内蔵された図示しない保持具に保持されている。ステー９５の下端部には、左右方向に延びる回転軸９７を介してコンバイナ８９が連結されている。支持機構９１は、コンバイナ８９の回転軸９７周りの回転動作を以て、半透過反射面９３の向きを調整可能とされている。
【００７８】
制御モジュール５５は、メモリ７５に保存された表示設定の情報に含まれるＨＵＤ装置３の表示機能に関するモードに基づいて、つまりＨＵＤ装置３が表示モードであるかまたは非表示モードであるかに応じて、表示モジュール５９に所定の表示動作を行わせる。
【００７９】
制御モジュール５５は、ＨＵＤ装置３が表示モードであるときにおいては、連携アプリ４３の表示設定で設定された項目の情報を所定の情報として表示し、情報端末５から着信信号を受信したときには、着信があることを示すアイコンや着信相手の情報を表示像として表示する。他方、制御モジュール５５は、ＨＵＤ装置３が非表示モードであるときにおいては、連携アプリ４３の表示設定で設定された項目の情報は表示せず、情報端末５から着信信号を受信したときには、着信があることを示すアイコンや着信相手の情報を表示像として表示する。
【００８０】
また、制御モジュール５５は、操作ユニット５３に含まれる多機能スイッチ７１Ａの入力操作に応じて、表示モジュール５９による表示機能を制御する。
【００８１】
制御モジュール５５は、ＨＵＤ装置３が表示モードであるときにおいては、多機能スイッチ７１Ａに短押し操作が行われることにより、ＨＵＤ装置３によって表示される所定の情報を表す表示像について表示内容を切り替える。例えば、情報端末５にて連携アプリ４３で設定された表示項目が複数ある場合、ＨＵＤ装置３により表示像として表示される表示項目が、多機能スイッチ７１Ａで短押し操作が行われる毎に、連携アプリ４３で設定された全ての表示項目とするか、またはいずれか１つの表示項目とするかで切り替えられる。
【００８２】
制御モジュール５５は、ＨＵＤ装置３が非表示モードであるときにおいては、多機能スイッチ７１Ａで短押し操作が行われることにより、表示モジュール５９によって所定の情報を表す表示像を所定の時間（例えば１０秒〜１５秒程度）に亘って一時的に表示させる。ＨＵＤ装置３では、このような一時的な表示機能を多機能スイッチ７１Ａに持たせることにより、表示モードと非表示モードの切り替え操作を省いて、必要なときに表示像を一時的に表示させられるようになっている。このようにすれば、表示像の表示を不要なときに消し忘れることもない。
【００８３】
また、制御モジュール５５は、操作ユニット５３に含まれる各スイッチ７１Ａ，７１Ｂ，７１Ｃ，７１Ｄの操作に応じて、通話モジュール６１による通話機能を制御する。
【００８４】
制御モジュール５５は、情報端末５に着信があるときには、多機能スイッチ７１Ａ、電源スイッチ７１Ｂ、プラススイッチ７１Ｃおよびマイナススイッチ７１Ｄのそれぞれに対し、着信に応じて受話する受話機能を割り当てる。これにより、情報端末５に着信があるときには、それら４つのスイッチ７１Ａ，７１Ｂ，７１Ｃ，７１Ｄのうちいずれかのスイッチを操作すれば、当該着信に応じて受話し、通話モジュール６１による通話を開始することができる。
【００８５】
さらに、制御モジュール５５は、通話モジュール６１による通話中においては、プラススイッチ７１Ｃおよびマイナススイッチ７１Ｄの機能をメイン機能に割り当てて復帰させる。そのことで、通話中においても、スピーカ６７から出力される音量を調整することが可能とされている。このとき、制御モジュール５５は、多機能スイッチ７１Ａに対し、通話を終了させる終話機能を割り当てる。これにより、通話を終了させたいときには、多機能スイッチ７１Ａを操作すれば通話を終了させることができる。なお、電源スイッチ７１Ｂの機能は、着信に応じて受話した後にメイン機能に割り当てて復帰させる。
【００８６】
そして、制御モジュール５５は、通話モジュール６１による通話が終了した後に所定の時間が経過するまでは、終話機能を継続して持たせ、多機能スイッチ７１Ａに対して表示操作機能を割り当てない。このことで、ユーザが通話を終了させようとして、通話相手が終話操作を行った後に多機能スイッチ７１Ａを操作してしまっても、表示の切り替え操作が意図せず行われるのを防止することができる。それにより、終話操作に伴うＨＵＤ装置３の意図しない表示の切り替え動作に起因してユーザに不安感を与えないようになっている。
【００８７】
なお、制御モジュール５５は、情報端末５に着信がないときにおいて、電源スイッチ７１Ｂのメイン機能およびサブ機能を有効にする。このとき、電源スイッチ７１Ｂのメイン機能（電源のオン／オフ切替え機能）は長押し操作が行われたときに機能し、電源スイッチ７１Ｂのサブ機能（表示のオン／オフ切替え機能）は短押し操作が行われたときに機能する。また、制御モジュール５５は、情報端末５に着信がないときにおいて、プラススイッチ７１Ｃおよびマイナススイッチ７１Ｄのメイン機能を有効にする。これにより、スピーカから出力される音量は、プラススイッチ７１Ｃの入力操作によりアップされ、マイナススイッチ７１Ｄの入力操作によりダウンされる。
【００８８】
電源５７は、ヘルメット本体１０５の後頭部に内蔵されている。この電源５７は、リチウムイオンバッテリなどの二次電池によって構成されている。当該電源５７は、無線通信モジュール４５、入出力機器５１、光出射器８３および制御モジュール５５と電気的に接続されている。ＨＵＤ装置３は、操作ユニット５３にて電源スイッチ７１Ｂの電源を入れる入力操作（長押し操作）がされると、電源５７から無線通信モジュール４５、制御モジュール５５および光出射器８３に電力を供給して、多機能スイッチ７１Ａの操作による表示内容の切り替えに応じて所定の表示動作をするようになっている。
【００８９】
＜情報提示システムの動作＞
− ＨＵＤ装置の表示動作 −
上記構成の情報提示システム１では、ＨＵＤ装置３の電源が入れられて、情報端末５で連携アプリ４３が実行されると、ネット情報やアプリ情報、表示設定の情報がＨＵＤ装置３で受信される。そして、受信したネット情報やアプリ情報に基づいて、表示設定の情報に含まれる予め設定された項目に対応する表示像のデータがＧＤＣ８１にて生成される。      
【００９０】
このとき、ＨＵＤ装置３が表示モードであると、投射モジュール４７の光出射器８３において、ＧＤＣ８１で生成された表示像のデータに対応する表示光が、情報端末５で設定された表示像の明るさレベルに対応する光の強さで生成される。この表示光は、光出射器８３から出射された後に凹面ミラー８５で反射されて、投射モジュール４７からコンバイナ８９に投光され、コンバイナ８９でユーザの視界に入るようにさらに反射される。これにより、ユーザは、コンバイナ８９越しに前方視界の風景に重畳した状態で、表示光による表示像を虚像として視認させられる。
【００９１】
− ＨＵＤ装置の通話動作 −
また、情報提示システム１では、情報端末５に着信があると、当該着信をＨＵＤ装置３による表示像の表示によりユーザに報知し、ユーザがＨＵＤ装置３で操作ユニット５３を操作することにより、車両運転中において情報端末５に着信があった場合にも、当該着信に応じて受話し、相手方と通話し、その後に通話を終了する終話を行え、ハンズフリーで着信通話が行える。
【００９２】
以下に、この情報提示システム１によるＨＵＤ装置３での着信通話を行うための処理について、図５を参照しながら説明する。図５は、ＨＵＤ装置３の通話機能による着信通話の流れを示すフロー図である。
【００９３】
図５に示すように、ＨＵＤ装置３での着信通話を行うための処理では、制御モジュール５５は、まず、情報端末５に着信があるか否かを判断する（ステップＳＴ０１）。具体的には、制御モジュール５５が無線通信モジュール４５を通じて情報端末５から送信される着信信号を受信している場合には、情報端末５に着信があると判断し、着信信号を受信していない場合には、情報端末５に着信がないと判断する。
【００９４】
このとき、情報端末５に着信がないと判断した場合（ステップＳＴ０１でＮＯの場合）には、制御モジュール５５が着信信号を受信するまで、情報端末５での着信の有無を引き続き判断する。また、情報端末５に着信があると判断した場合（ステップＳＴ０１でＹＥＳの場合）には、情報端末５に着信があることを示すアイコンや着信相手の情報を表示像として表示することで、ユーザに着信を報知すると共に、操作ユニット５３にある４つのスイッチ（多機能スイッチ７１Ａ、電源スイッチ７１Ｂ、プラススイッチ７１Ｃ、マイナススイッチ７１Ｄ）全てに受話機能を割り当てる（ステップＳＴ０２）。
【００９５】
次いで、それら４つのスイッチ７１Ａ、７１Ｂ，７１Ｃ，７１Ｄのうち何れかのスイッチが操作されたか否かを判断する（ステップＳＴ０３）。具体的には、制御モジュール５５が操作ユニット５３の信号処理回路７３から何らかの操作信号を受信した場合には、操作ユニット５３でスイッチ操作が行われたと判断し、制御モジュール５５が操作ユニット５３の信号処理回路７３から制御信号を受信しない場合には、操作ユニット５３でスイッチ操作が行われていないと判断する。
【００９６】
このとき、操作ユニット５３でスイッチ操作が行われていないと判断した場合、つまり４つのスイッチ７１Ａ，７１Ｂ，７１Ｃ，７１Ｄがどれも操作されていない場合（ステップＳＴ０３でＮＯの場合）には、情報端末５に着信が継続しているか否かを判断する（ステップＳＴ０４）。情報端末５に着信が継続しているか否かは、制御モジュール５５が着信信号の受信を継続しているか否かで判断する。
【００９７】
ここで、情報端末５に着信が継続していないと判断した場合（ステップＳＴ０４でＮＯの場合）は、リターンして、再び情報端末５に着信があるか否かを判断する最初のステップ（ステップＳＴ０１）に戻る。また、情報端末５に着信が継続していると判断した場合（ステップＳＴ０４でＹＥＳの場合）は、４つのスイッチ７１Ａ，７１Ｂ，７１Ｃ，７１Ｄのうちいずれかのスイッチが操作されるまで、スイッチ操作の有無を引き続き判断する。
【００９８】
４つのスイッチ７１Ａ，７１Ｂ，７１Ｃ，７１Ｄのうち何れかのスイッチが操作されたと判断した場合（ステップＳＴ０３でＹＥＳの場合）には、ＨＵＤ装置３では、制御モジュール５５が無線通信モジュール４５を介して情報端末５に着信に応じて受話するための制御信号を送信する。そして、情報端末５では、その制御信号に基づき、連携アプリ４３の機能により着信に応じて受話することで、通話が開始される（ステップＳＴ０５）。
【００９９】
このように着信に応じて受話した後、つまり通話中においては、多機能スイッチ７１Ａに通話を終了させる終話機能を割り当てると共に、それ以外の電源スイッチ７１Ｂ、プラススイッチ７１Ｃおよびマイナススイッチ７１Ｄの機能をメイン機能に割り当てて復帰させる（ステップＳＴ０６）。
【０１００】
次に、通話が終了（終話）したか否かを判断する（ステップＳＴ０７）。通話は、外部ネットワークＮを通じた通話相手との通信状態が正常であれば、ユーザが多機能スイッチ７１Ａを操作するか、または通話相手によって終話操作が行われることで終了する。ここでは、制御モジュール５５が、操作ユニット５３の信号処理回路７３から多機能スイッチ７１Ａの入力操作による操作信号を受信したか、または無線通信モジュール４５を通じて終話信号を受信した場合には、終話したと判断し、制御モジュール５５がそれら操作信号も終話信号も受信していない場合には、終話していないと判断する。
【０１０１】
このとき、終話しておらず通話中であると判断した場合（ステップＳＴ０７でＮＯの場合）には、終話したことが判断されるまで、終話しているか否かを引き続き判断する。また、終話したと判断した場合（ステップＳＴ０７でＹＥＳの場合）には、続いて、終話後に所定の時間（例えば２秒〜５秒程度）が経過したか否かを判断する（ステップＳＴ０８）。
【０１０２】
そして、終話後に所定の時間が経過していないと判断した場合（ステップＳＴ０８でＮＯの場合）には、終話後に所定の時間が経過するまで、当該終話後における所定の時間の経過を引き続き判断する。また、終話後に所定の時間が経過したと判断した場合（ステップＳＴ０８でＹＥＳの場合）には、多機能スイッチ７１Ａの機能にメイン機能（表示モード切り替え機能）を割り当てて復帰させる（ステップＳＴ０９）。しかる後、リターンする。このようにして、ＨＵＤ装置３の通話機能による着信通話が行われる。
【０１０３】
この実施形態に係るＨＵＤ装置３およびそれが搭載されたヘルメット１０１によると、情報端末５に着信があるときに、操作ユニット５３に含まれる多機能スイッチ７１Ａ、電源スイッチ７１Ｂ、プラススイッチ７１Ｃ、マイナススイッチ７１Ｄのそれぞれに受話機能を割り当てるようにしたので、いずれかのスイッチを操作すれば、当該着信に応じて受話することができる。それによって、他の機能を持たせたスイッチを誤操作するおそれがなくなり、着信に応じて受話できない事態に陥るのを回避することができる。
【０１０４】
また、この実施形態に係るＨＵＤ装置３およびそれが搭載されたヘルメット１０１によると、情報端末５での表示設定により、所定の情報を表す表示像について表示を行う表示モードと表示を行わない非表示モードとを切り替えられるようにしたので、当該表示像の表示が必要ないときには非表示モードとすることにより、ＨＵＤ装置３を動作させるための電力の消費を抑えることができる。
【０１０５】
さらに、この実施形態に係るＨＵＤ装置３およびそれが搭載されたヘルメット１０１によると、ＨＵＤ装置３が非表示モードであるときにおいても、多機能スイッチ７１Ａに短押し操作を行うことで、表示モジュール５９によって所定の情報を表す表示像を一時的に表示させるようにしたので、表示モードと非表示モードの切り替え操作を省いて、必要なときに表示像を一時的に表示させることができる。このようにすれば、表示像の表示を消し忘れることもない。そうした多機能スイッチ７１Ａの短押し操作による表示像の一時的な表示を活用することにより、ＨＵＤ装置３を作動させるための電力の消費を抑えることができる。
【０１０６】
以上のように、本開示の技術の例示として、好ましい実施形態について説明した。しかし、本開示の技術は、これに限定されず、適宜、変更、置き換え、付加、省略などを行った実施の形態にも適用可能である。また、添付図面および詳細な説明に記載された構成要素の中には、課題解決のためには必須でない構成要素も含まれ得る。そのため、それらの必須でない構成要素が添付図面や詳細な説明に記載されていることを以て、直ちにそれらの必須でない構成要素が必須であるとの認定をするべきではない。
【０１０７】
例えば、上記実施形態について、以下のような構成としてもよい。
【０１０８】
上記実施形態では、ＨＵＤ装置３が情報端末５に着信があることを表示像の表示によりユーザに報知するとしたが、本開示の技術はこれに限らない。情報端末５に着信があることは、スピーカ６７から着信音を出力するなどして音でユーザに報知するようになっていてもよいし、ヘルメット１０１に小型振動機を内蔵して振動（バイブレーション）でユーザに報知するようになっていても構わない。
【０１０９】
上記実施形態では、操作ユニット５３が備えるスイッチが多機能スイッチ７１Ａ、電源スイッチ７１Ｂ、プラススイッチ７１Ｃ、マイナススイッチ７１Ｄおよびの４つであるとしたが、本開示の技術はこれに限らない。操作ユニット５３が備えるスイッチの数は、２つ以上であれば３つ以下であってもよいし、５つ以上であっても構わない。
【０１１０】
上記実施形態では、ＨＵＤ装置３について、ヘルメット１０１のシールド１０７とは別に被投射体として設けられたコンバイナ８９に対し、投射モジュール４７から表示光を投射する構成を例に挙げて説明したが、本開示の技術はこれに限らない。ＨＵＤ装置３は、コンバイナ８９に代えてヘルメット１０１のシールド１０７を被投射体として用い、シールド１０７に対して投射モジュール４７から表示光を投射することで、シールド１０７越しに前方視界の風景に重畳した状態で表示光による表示像を虚像として表示するようになっていてもよい。
【０１１１】
上記実施形態では、ＨＵＤ装置３と連携する情報端末５としてスマートフォンを例示したが、本開示の技術はこれに限らない。当該情報端末５は、スマートウォッチやタブレット端末、ＰＤＡ（Personal Data Assistant）などのスマートフォンに類する機能を備えた端末であってもよく、外部ネットワークＮに接続する機能やＧＰＳ受信機７を備え、ＨＵＤ装置３と通信できるものあれば、その他の携帯型の情報端末であっても構わない。また、ＨＵＤ装置３は、情報端末５に代え、または情報端末５に加えて、自動二輪車と通信して同車に搭載された各種センサによる検知情報を受信して表示像とするようになっていてもよい。
【０１１２】
上記実施形態では、光出射器８３に用いる表示素子としてＬＣＯＳ（Liquid Crystal On Silicon）などの反射型表示パネルを例示したが、本開示の技術はこれに限らない。光出射器８３の表示素子には、例えば、有機ＥＬ（Electro Luminescence）表示パネルやＶＦＤ（Vacuum Fluorescent Display）などの自発光型の表示素子が用いられてもよい。
【０１１３】
上記実施形態では、投射モジュール４７が凹面ミラー８５を有しているとしたが、本開示の技術はこれに限らない。投射モジュール４７は、凹面ミラー８５に代えて、凸面ミラーまたは平面ミラーを有していてもよい。
【０１１４】
上記実施形態では、ＨＵＤ装置３によりユーザに表示像として提示される情報が現在時刻、速度、経路案内の情報であるとしたが、本開示の技術はこれに限らない。これら現在時刻、速度、経路案内の情報は、ＨＵＤ装置３により提示し得る情報の一例に過ぎず、それら以外の自動二輪車の運転に寄与する情報であってもよく、情報端末５の連携アプリ４３で設定するなどして、走行地域の周辺施設の情報などといったユーザにとって有用なその他の情報がＨＵＤ装置３で表示する項目とされていても構わない。
【０１１５】
上記実施形態では、ＨＵＤ装置３が搭載されるヘルメット１０１としてフルフェイス型のヘルメットを例に挙げて説明したが、本開示の技術はこれに限らない。フルフェイス型のヘルメット１０１は、ＨＵＤ装置３が搭載されるヘルメット１０１の一例に過ぎず、投射モジュール４７を内蔵し得る部位を備えているものであれば、オープンフェイス型（ジェット型）やセミジェット型（スリークォーターズ型）など、任意のタイプのヘルメットをＨＵＤ装置３が搭載されるヘルメット１０１として採用することが可能である。
【０１１６】
上記実施形態では、ＨＵＤ装置３が搭載されたヘルメット１０１として、自動二輪車を運転する際に着用されるヘルメット１０１を例に挙げて説明したが、本開示の技術はこれに限らない。ＨＵＤ装置３は、水上バイクや自転車などの二輪車、スノーモービル（雪上バイク）などの他の乗物において着用されるヘルメットにも勿論適用することが可能である。
【産業上の利用可能性】
【０１１７】
以上説明したように、本開示の技術は、ヘルメットに搭載されるＨＵＤ装置およびＨＵＤ装置が搭載されたヘルメットについて有用である。
【符号の説明】
【０１１８】
Ｅ…ユーザの眼
Ｎ…外部ネットワーク
Ｓ…ＧＰＳ衛星
１…情報提示システム
３…ＨＵＤ装置
５…情報端末
７…ＧＰＳ受信機
９…無線通信モジュール
１３…入出力機器
１５…タッチパネル付き表示装置
１７…マイクロコンピュータ
１９…電源
２１…ネットワーク通信部
２３…近距離通信部
２５…マイクロフォン
２７…スピーカ
２９…画面
３１…メモリ
３３…ＣＰＵ
３５…時刻アプリ
３７…速度アプリ
３９…ナビアプリ
４１…通話アプリ
４３…連携アプリ
４５…無線通信モジュール
４７…投射モジュール
４９…コンバイナユニット
５１…入出力機器
５３…操作ユニット
５５…制御モジュール
５７…電源
５９…表示モジュール
６１…通話モジュール
６３…ＰＣＢモジュール
６５…マイクロフォン
６７…スピーカ
６９…ケース
７１Ａ…多機能スイッチ
７１Ｂ…電源スイッチ
７１Ｃ…プラススイッチ
７１Ｄ…マイナススイッチ
７３…信号処理回路
７５…メモリ
７７…ＣＰＵ
７９…マイクロコンピュータ
８１…ＧＤＣ
８３…光出射器
８５…凹面ミラー
８７…反射面
８９…コンバイナ
９１…支持機構
９３…半透過反射面
９５…ステー
９７…回転軸  
１０１…ヘルメット
１０３…窓開口
１０５…ヘルメット本体
１０７…シールド
１０９…留め具
１１３…顎部
１１５…額部
【図１】
2020102688.tif 000003
【図２】
2020102688.tif 000004
【図３】
2020102688.tif 000005
【図４】
2020102688.tif 000006
【図５】
2020102688.tif 000007